(57)【要約】  【課題】  老人やハンデキャップのある被検者でも苦痛を伴うことがなく楽な撮影体位に保持するための握り棒を備えたX線撮影装置を提供する。  【解決手段】  X線管装置1から被検者にX線を照射し、前記X線管装置1と対向する位置に配置されたX線検出器2で前記被検者を透過したX線を検出する。前記X線検出器2を支柱3で支持し該X線検出器2を上下方向に昇降可能な昇降手段を有する床面に設置された撮影台に被検者を立たせ、握り棒4に前記被検者が掴まって該被検者の撮影体位を保持する。前記握り棒4の両端にそれぞれ複数の同じ本数のロープ5の一端を固定し、該ロープ5の他端をロープ支持部6で支持すると共に前記ロープ5の巻き上げ及び巻き下げ機構と前記握り棒の回転機構により前記握り棒を前記被検者が楽な撮影体位を維持できる位置に固定された握り棒に掴まって被検者を支える。【選択図】      図１
2008113702.tif 000002
【特許請求の範囲】
【請求項１】
被検者にＸ線を照射するＸ線源と、このＸ線源に対向配置され前記被検者の透過Ｘ線を検出するＸ線検出器と、このＸ線検出器を支持し該Ｘ線検出器を上下方向に昇降可能な昇降手段を有する床面に設置された撮影台と、前記被検者が掴まって該被検者の撮影体位を保持するための握り棒とを備えたＸ線撮影装置において、さらに前記握り棒を前記床面の水平方向に対する垂直、左右及び回転方向の任意の位置に可変する握り棒位置可変手段と、前記握り棒と前記握り棒位置可変手段を支持する握り棒支持手段とを備えたことを特徴とするＸ線撮影装置。
【請求項２】
前記握り棒位置可変手段は、前記握り棒の両端にそれぞれ複数の同じ本数のロープの一端を固定し、該ロープの他端を支持すると共に前記ロープの巻き上げ及び巻き下げ機構を備えて前記握り棒の長さを可変する握り棒長さ可変手段と、前記握り棒の回転方向を可変する握り棒回転手段と、前記握り棒を前記握り棒長さ可変手段と前記握り棒回転手段とにより所望の長さと角度に設定し、この設定した位置に前記握り棒を固定する握り棒固定手段と、前記握り棒長さ可変手段及び前記握り棒回転手段と前記握り棒固定手段との動作を切り替える動作切り替え手段とを備えたことを特徴とする請求項1に記載のＸ線撮影装置。
【請求項３】
前記握り棒と、前記握り棒位置可変手段と、前記握り棒支持手段とを前記撮影台の支柱に取り付けたことを特徴とする請求項１または2に記載のＸ線撮影装置。
【請求項４】
前記握り棒と、前記握り棒位置可変手段と、前記握り棒支持手段とを天井から吊り下げた天井吊り支持手段で支持することを特徴とする請求項１または２に記載のＸ線撮影装置。
【請求項５】
さらに正面撮影用握り棒を前記Ｘ線検出器の両端に備えたことを特徴とする請求項１乃至４のうちのいずれか１項に記載のＸ線撮影装置。
【発明の詳細な説明】
【技術分野】
【０００１】
本発明はX線撮影装置に係り、特に被検者を撮影位置に保持するための握り棒を備えたX線撮影装置に関する。
【背景技術】
【０００２】
X線撮影の中で最も一般的な検査である胸部X線撮影は、肺や心臓、左右の肺の間にある縦隔などの器官を診断する撮影である。
この撮影を行うX線撮影装置は、一般撮影装置と呼ばれ、従来から広く利用されており、床面に立設された胸部専用の立位撮影台に被検者を立たせ(以下、「立位」と記す)、前記立位撮影台に備えられたX線検出器の検出面に撮影部位である胸部を位置決めして撮影するものである。
【０００３】
このようにして撮影する胸部撮影では、胸部正面撮影、胸部側面撮影等が行われ、被検者を前記撮影目的に対応した体位を保持して被検者の動きによる画質悪化を防止するために、非特許文献1に記載されている、撮影期間の間、前記被検者を支えるための手段である2種類の握り棒を備えている。
【０００４】
すなわち、胸部正面撮影時には、前記立位撮影台の正面の両側に前記X線検出器を両手で包み込むような形で撮影を行うのための正面撮影用握り棒を備えており、側面撮影や胸部以外の撮影時には、前記立位撮影台の上方に、被検者が掴まって該被検者の身体を支える握り棒(以下、側面撮影用握り棒と記す)を備えている。
そして、これらの握り棒は前記被検者の身長に対応して上下方向に移動する機構を備えている。
【非特許文献１】医歯薬出版株式会社  「医用放射線科学講座13巻、放射線診断機器工学第2版、第2章  X線一般撮影装置、図2-3、p16」2006年1月20日
【発明の開示】
【発明が解決しようとする課題】
【０００５】
側面撮影においては、被検者は横向きになって立位撮影台のX線検出器の検出面に前記被検者の胸部の側面を位置合わせし、この状態で撮影しなければならない。
この撮影の間、被検者は前記体位を維持するために、前記被検者の身長に対応した位置にセットされた前記側面撮影用握り棒に掴まって前記体位を維持するものである。
【０００６】
このように、横向きで前記側面撮影用握り棒に掴まって側面撮影体位を維持することは、健常者においてはまだしも、老人やハンデキャップのある被検者の場合は、前記体位を保つことは非常に苦痛を伴うものであり、あるいは前記体位をとることができない場合があった。
これは、上記非特許文献1に開示されている従来の側面撮影用握り棒は、その位置の可変は上下方向のみで、左右方向や斜め方向にセットできないことによるものである。
【０００７】
そこで、本発明は上記問題に鑑みてなされたものであって、老人やハンデキャップのある被検者でも苦痛を伴うことがなく楽な撮影体位に保持するための握り棒を備えたX線撮影装置を提供することを目的とする。
【課題を解決するための手段】
【０００８】
上記目的を達成するために、本発明のX線撮影装置は以下のように構成される。すなわち、被検者にX線を照射するX線源と、このX線源に対向配置され前記被検者の透過X線を検出するX線検出器と、このX線検出器を支持し該X線検出器を上下方向に昇降可能な昇降手段を有する床面に設置された撮影台と、前記被検者が掴まって該被検者の撮影体位を保持するための握り棒とを備えたX線撮影装置において、さらに前記握り棒を前記床面の水平方向に対する垂直、左右及び回転方向の任意の位置に可変する握り棒位置可変手段と、前記握り棒と前記握り棒位置可変手段を支持する握り棒支持手段とを備えたことを特徴とする。
【０００９】
前記握り棒位置可変手段は、前記握り棒の両端にそれぞれ複数の同じ本数のロープの一端を固定し、該ロープの他端を支持すると共に前記ロープの巻き上げ及び巻き下げ機構を備えて前記握り棒の長さを可変する握り棒長さ可変手段と、前記握り棒の回転方向を可変する握り棒回転手段と、前記握り棒を前記握り棒長さ可変手段と前記握り棒回転手段とにより所望の長ささと角度に設定し、この設定した位置に前記握り棒を固定する握り棒固定手段と、前記握り棒長ささ可変手段及び前記握り棒回転手段と前記握り棒固定手段との動作を切り替える動作切り替え手段とを備えて構成される。
【００１０】
前記握り棒と、前記握り棒位置可変手段と、前記握り棒支持手段の支持は以下の(1)，(2)のいずれの手段でも良い。
(1)前記撮影台の支柱に取り付けて支持する。
(2)天井から吊り下げた天井吊り支持手段で支持する。
さらに、正面撮影用握り棒を前記X線検出器の両端に備えたことを特徴とする。
【発明の効果】
【００１１】
本発明によれば、握り棒を床面の水平方向に対する垂直、左右及び回転方向の任意の位置に可変可能に構成したので、被検者が最も楽な体位で握り棒に掴まって前記体位を保持することができ、老人やハンディキャップのある被検者でも苦痛を味わうことなく安心してX線撮影を行うことができる。
また、前記握り棒を被検者自身で移動して撮影位置に設定することができるので、検査までの時間が少なくて済むために検査効率を大幅に改善することが可能となる。
さらに、前記握り棒を使用しない時は、上方に簡単に退避できるため、握り棒が被検者や操作者に接触することも無く、安全であり、撮影の準備を効率良く行うことができる。
【発明を実施するための最良の形態】
【００１２】
以下、添付図面に従って本発明のX線撮影装置の好ましい実施の形態について詳細に説明する。
なお、本発明の実施形態を説明するための全図において、同一機能を有するものは同一符合を付け、その繰り返しの説明は省略する。
【００１３】
図1は、本発明による立位撮影台を用いたX線撮影装置の構成を示す模式図である。このX線撮影装置は、被検者にX線を照射するX線管装置(X線源)1と(図示省略の支持器により支持されている)、被検者を透過したX線を検出するX線検出器2と、このX線検出器2を上下に昇降可能に支持し、前記X線検出器2の検出面に被検者の撮影部位を密着させて前記被検者を立位の状態に保持する撮影台を備えた支柱3と、前記被検者を撮影部位に位置決めした後に前記被検者が掴まって前記位置決めされた体位を保持するための握り棒4と、この握り棒4を被検者が掴まり易い位置に調整可能なロープ5と、このロープ5を支持して該ロープの長さと角度(上下と左右及び回転方向)を可変する機構(握り棒位置可変手段)を備えたロープ支持部6と、前記支柱3に支持された前記握り棒4とロープ5とロープ支持部6とから成る握り棒装置を支持する握り棒装置支持部(握り棒支持手段)7と、前記ロープ5を上下、左右及び回転方向の可変と前記ロープ5の固定とを切り替えるための切り替えスイッチ(動作切り替え手段)8とを備えて構成される。
【００１４】
前記握り棒4は、5a、5b、5c、5d、5e、5fの６本のロープ5により支持されており、握り棒4の左右の両端には5a、5b、5cと5d、5e、5fのそれぞれ３本のロープ5が固定されている。
【００１５】
前記ロープ5は、ロープ支持部6により支持され、後述のロープ位置可変機構によりそれぞれのロープ5を上下、左右及び回転方向(握り棒4の水平軸面に対して回転する方向)を可変して前記握り棒4を被検者が最も掴まり易い位置に調整し、この調整した位置に前記ロープ4を固定する。
このロープ4の調整と固定は、前記切り替えスイッチ8を切り替えて行う。
【００１６】
なお、正面撮影用の握り棒は従来と同様にX線検出器2の両側に備えられており、図1の実施形態では省略している。
【００１７】
次に、前記握り棒3の固定について図2を用いて説明する。
この図2は、前記図1を上部から見た図で、ロープ5は握り棒4の端部に対してロープ5a、5b、5c及びロープ5d、5f、5eによる３角形になる位置に配備されており、これらのロープを固定することにより床面に平行な平面空間の２次元方向での自由度が制限されて被検者の保持を可能とする。
なお、上下方向に関しては、握り棒4に被検者の体重が床面の垂直方向にかかるために該握り棒4は固定され、動くことは無い。
また、握り棒4の両端はそれぞれ3本のロープがロープ支持部6の3点で支持されているために、左右への移動も可能である。
【００１８】
図3は、握り棒4がX線検出器２から離れる位置に移動した場合の握り棒4、ロープ支持部6及び握り棒装置支持部7の配置関係を示す図で、図4は前記図3を上部から見た図である。
【００１９】
図4において、握り棒4を図3に示すように左方向に移動させると、6本のロープ5(5a〜5f)がそれぞれ異なった長さになり、前記ロープ5を前記長さに固定することにより握り棒4を所定の位置に保持することができる。
同様に、図示は省略するが、握り棒4を右方向に移動させると、6本のロープ5(5a〜5f)がそれぞれ異なった長さになり、前記ロープ5を前記長さに固定することにより握り棒4を所定の位置に保持することができる。
【００２０】
このように、ロープ4の長さは、後述のロープ巻き取り機構を6本のロープそれぞれについて備えて、被検者が握り棒4を左右に移動する量に対応して前記6本の長さが可変制御され、これによって握り棒4の左右への移動を可能とする。
【００２１】
前記握り棒4を使用しないときは、該握り棒4を上方に退避しておいた方が握り棒4が邪魔にならないで、撮影準備や正面撮影等を効率よく行うことができる。
図5は、握り棒4を使用しない時の該握り棒4の配置の様子で、握り棒4の移動と固定とを切り替えるスイッチ8を固定側に切り替えることにより、握り棒4は最上部まで移動して退避した場合である。
【００２２】
この場合の握り棒の退避位置への移動は、微弱なテンションがロープ5に掛かっていて、被検者が握り棒4から手を離すと自動的に前記位置に戻るように構成されている。これは、被検者に自分の力で都合の良い位置へ移動させる時と同じ状態であって、手を離せばもとの位置に戻る機構を備えている。
【００２３】
図6は、前記図5を上部から見た握り棒4、ロープ5、ロープ支持部6及び握り棒装置支持部7の配置を示す図である。
ロープ支持部6の中央部に握り棒4が保持され、高い位置に設定することにより使用しない場合は邪魔にならい。
【００２４】
前記握り棒4の退避位置は、被検者の頭より高い、手を伸ばせば届く位置に設定するが、実際には被検者の背の高さも異なるので、手の届かない被検者の場合は操作者が手で引きおろして被検者に渡すことにより、どのような被検者にも対応できる配慮がなされている。
そして、使用するときは、操作者はスイッチ8を固定側から可変側に切り替えてロープ5を可変可能とすることにより、直ちに使用することが可能となり、検査のスピードアップを図ることができるものとなる。
【００２５】
図7は、ロープ5の長さの可変と固定を行うロープ巻き取り機構の一例で、前記ロープ5のうちの1本のロープの場合である。
図7において、ロープ巻き取り機構は、ロープ巻き取り機能付き滑車9と、この滑車の軸10と、前記滑車9を支える支柱11と、前記滑車9よりも小さい径の滑車12と、この滑車12を支える支柱13と、前記ロープ巻き取り機構の動作を停止してロープ5を所望の位置に固定する電磁ブレーキ14とで構成され、ロープ支持部6に支持されたロープ5の巻き上げ及び巻き下げを行う(握り棒長さ可変手段)。
【００２６】
前記ロープ5は、巻き取りテンションを有するロープ巻き取り機能付き滑車9により適度なテンションにて引っ張られており、切り替えスイッチ8を固定側に切り替えることにより、電磁ブレーキ14に図示省略の電磁ブレーキ回路よりフレーギ電流が流れてブレーキがかかり、前記握り棒4を保持する(握り棒固定手段)。
【００２７】
ロープ5の巻き取りは、スプリング機能を滑車12に持たせれば良く、握り棒4の重量も軽く、ロープ5の長さも1.5メートル程度あれば良いため小型化が可能である。
同様のロープ巻き取り機構を他の5本のロープにも備え、被検者が握り棒4を左右に移動する量に対応して前記6本の長さが可変制御される。
【００２８】
次に、握り棒4の回転方向を可変する機構について図8を用いて説明する。
この図8は、握り棒5の回転方向を可変するための回転機構を上部から見た図で、前記回転機構は、ロープ支持部5を回転させる回転駆動ローラ15と、この回転駆動ローラ15の軸16と、この軸16に連結された前記回転駆動ローラ15よりも小さい径の駆動ローラ17と、この駆動ローラ17に連結して該駆動ローラ17を回転されるモータ18とを備えて構成される(握り棒回転手段)。
【００２９】
前記ロープ支持部6は、円柱状の形状で、回転駆動ローラ15にて左右のいずれの方向にも回転可能で、モータ18の駆動力が駆動ローラ17から回転駆動ローラ15を経由してロープ支持部6に伝達されて前記握り棒5を任意の角度に設定することができる。
【００３０】
図9は、握り棒4の移動と固定とを切り替えるスイッチ(動作切り替え手段)8の例で、8aは握り棒4を移動可能にするスイッチ、8bはロープ支持部6を反時計回りに回転させて前記握り棒4を反時計方向に回転させるスイッチ、8bはロープ支持部6を時計回りに回転させて前記握り棒4を時計方向に回転させるスイッチである。
【００３１】
術者は被検者の体の向きに合わせて8bもしくは8cのスイッチを用いて最適な角度を設定し、その後、スイッチ8aにより被検者に好みの場所へ握り棒3を移動させる。
図10及び図11は反時計方向に回転させた場合の例で、前記11に示すように、握り棒4は約30度回転している。
【００３２】
このような構成のX線撮影装置により、例えば、胸部側面撮影時には、被検者はX線検出器2の前に立ち、操作者の指示に従って胸部側面撮影のポジショニングを行う。次に、操作者はスイッチ8によりロープ5の位置の可変を可能とし、被検者は握り棒4を掴んで体を保持するのに適した場所へ握り棒4を移動させ、該握り棒4の位置が確定したところで術者はスイッチ7によりロープ5を固定する。このように、被検者は握り棒4が固定されるので、この固定された位置の握り棒4に掴まって撮影体位を保持して撮影を行う。
【００３３】
なお、上記実施形態では、図示は省略したが正面撮影用握り棒を備え、正面撮影時には前記正面撮影用握り棒に掴まって撮影する例の場合であるが、上記握り棒4を該握り棒の回転機構により正面撮影時の方向に回転させることにより、側面撮影用握り棒のみで正面撮影及び側面撮影を行うことができる。
【００３４】
また、本実施形態では、ロープ支持部6を握り棒装置支持部7により支柱3に固定したが、検査室の天井に支柱と独立して固定することも可能である。
さらに、上記握り棒4の左右への移動は、ロープ5の長さを調整して行うようにしたが、本発明はこれに限定するものではなく、例えば、ロープ支持部6に該支持部そのものを左右へ移動する手段を設けようにしても良い。
このように構成することによって、左右への移動範囲が広くなり、正面撮影及び側面撮影以外の撮影にも対応することができるようになる。
【００３５】
さらにまた、立位の状態で撮影する立位撮影台を備えたX線撮影装置について説明したが、本発明はこれに限定するものではなく、例えば、透視撮影台を立位にして撮影する場合はもちろんのこと、臥位や他の姿勢での撮影や臥位撮影台での撮影時の握り棒としても使用することができる。
【００３６】
以上のように構成することにより、握り棒4は被検者の好みの高さ、向きに配置することが可能となる。これによって、老人やハンディキャップを有する被検者でも安心してX線撮影を行うことが可能となり、動きの無い良好な画像が得られると共に、失敗による再撮影を無くすことが可能となる。
【図面の簡単な説明】
【００３７】
【図１】本発明による立位撮影台を用いたX線撮影装置の構成の模式図。
【図２】握り棒の固定について説明するための図1を上部から見た図。
【図３】握り棒がX線検出器から離れる位置に移動した場合の握り棒、ロープ支持部及び握り棒装置支持部の配置関係を示す図。
【図４】図3を上部から見た図。
【図５】握り棒を使用しない時の該握り棒の配置を示す図。
【図６】図5を上部から見た握り棒、ロープ、ロープ支持部及び握り棒装置支持部の配置を示す図。
【図７】ロープの長さの可変と固定を行うロープ巻き取り機構を示す図。
【図８】握り棒の回転方向を可変するための回転機構を上部から見た図。
【図９】握り棒の移動と固定とを切り替えるスイッチの例を示す図。
【図１０】握り棒を反時計方向に回転させた場合の例。
【図１１】握り棒を反時計方向に回転させた場合の上部から見た図。
【符号の説明】
【００３８】
1  X線管装置、2  X線検出器、3  支柱、4  握り棒、5  ロープ、6  ロープ支持部、7  握り棒装置支持部、8  切り替えスイッチ、9  ロープ巻き取り機能付き滑車、10  軸、11  支柱、12  滑車11、13  支柱、14  電磁ブレーキ、15  回転駆動ローラ、16  軸、17  駆動ローラ、18  モータ
【図１】
2008113702.tif 000003
【図２】
2008113702.tif 000004
【図３】
2008113702.tif 000005
【図４】
2008113702.tif 000006
【図５】
2008113702.tif 000007
【図６】
2008113702.tif 000008
【図７】
2008113702.tif 000009
【図８】
2008113702.tif 000010
【図９】
2008113702.tif 000011
【図１０】
2008113702.tif 000012
【図１１】
2008113702.tif 000013